(57)【要約】【課題】本願考案は、長時間にわたる蝋細工や粘土細工等の作業をしていても指が疲れることなく、指先に力を入れるような場合であっても指先が痛くなることもなく、かつ、歯科用スパチュラよりも軽く、ハンドル部分が傷つきにくいスパチュラ、およびスパチュラハンドルを提供することを目的とする。【解決手段】へらおよび該へらに連接し先端部に雄螺子が螺刻される柄からなる第１のへら部と、第１のへら部と同様に構成される第２のへら部と、両端に前記雄螺子が着脱自在に螺合する雌螺子が螺刻される螺合部を有し内部に収納部を有する太径の円筒部材であって該円筒部材の外径はその中央部に向かって徐々に小さくなるスパチュラハンドルとからなり、スパチュラハンドルの両端部は細径の円筒部がラバーグリップで被包される構成とした。【選択図】  図４
0003124544.tif 000002
【実用新案登録請求の範囲】
【請求項１】
へらおよび該へらに連接し先端部に雄螺子が螺刻される柄からなる第１のへら部と、
第１のへら部と同様に構成される第２のへら部と、
両端に前記雄螺子が着脱自在に螺合する雌螺子が螺刻された螺合部を有する太径の円筒部材であって該円筒部材の外径はその中央部に向かって略同一または徐々に小さくなるスパチュラハンドルと、
からなる、ことを特徴とするスパチュラ。
【請求項２】
前記太径の円筒部材はその両端部が前記螺合部を有する細径の円筒部と中央部が太径の円筒部として形成され、該細径の円筒部の外周面には円筒状のラバーグリップが着脱自在に嵌合することにより、前記スパチュラハンドルはその両端部がラバーグリップ部を具える構成となる、ことを特徴とする請求項１に記載のスパチュラ。
【請求項３】
前記細径の円筒部の外径は該細径の円筒部の中央部に向かって徐々に小さくなっている、ことを特徴とする請求項２に記載のスパチュラ。
【請求項４】
前記細径の円筒部の外周面にはその円周方向に複数本の溝が刻設されている、ことを特徴とする請求項２または請求項３に記載のスパチュラ。
【請求項５】
前記溝の溝間隔および／または前記溝の溝巾は前記細径の円筒部の先端から太径の円筒部へ向かって該溝間隔が狭まりおよび／または該溝巾が広くなる、ことを特徴とする請求項４に記載のスパチュラ。
【請求項６】
前記溝の溝間隔および／または前記溝の溝巾は前記細径の円筒部の先端から太径の円筒部へ向かって該溝間隔が広がりおよび／または該溝巾が狭くなる、ことを特徴とする請求項４に記載のスパチュラ。
【請求項７】
前記雄螺子のへら側端部には円形の鍔が環装され、該鍔の外径は前記スパチュラハンドルの外端の外径と略同一である、ことを特徴とする請求項１ないし請求項６のいずれかに記載のスパチュラ。
【請求項８】
前記鍔のへら側には前記雄螺子と同一形状の雄螺子が螺刻され、前記スパチュラハンドルの両端部に穿設された前記螺合部が互いに連通して収納部が形成されている、ことを特徴とする請求項７に記載のスパチュラ。
【請求項９】
所定の厚みを有する平板に前記スパチュラハンドルの先端部が挿入されるスパチュラハンドル挿入穴および前記へら部の前記雄螺子が挿入される複数個のへら部挿入穴が穿設され、該へら部挿入穴は該スパチュラハンドル挿入穴を中心とした同一円周上に並設され、あるいは該スパチュラハンドル挿入穴および該へら部挿入穴は同一直線上に並設されている、ことを特徴とするスパチュラスタンド。
【請求項１０】
前記平板で形成される平面視が円形のスパチュラスタンド本体と該スパチュラスタンド本体の上部を被覆する着脱自在の蓋部とからなり、
前記へら部挿入穴は前記スパチュラハンドル挿入穴を中心とした同一円周上に並設されて該へら部挿入穴には雌螺子が刻設されて前記雄螺子が螺合し、
前記蓋部は螺着された前記へら部および一端が前記スパチュラハンドル挿入穴に挿入された前記スパチュラハンドルを被覆して該スパチュラハンドルの他端は該蓋部の頂部に当接する、ことを特徴とする請求項９に記載のスパチュラスタンド。
【考案の詳細な説明】
【技術分野】
【０００１】
本考案は、蝋細工や粘土細工等に使用される造形用のスパチュラに関する。
【背景技術】
【０００２】
蝋細工、粘土細工あるいは彫金用に使用される造形用のスパチュラは、指だけでは細工ができない場合、たとえば、細やかな細工をしたり、面を平らにならしたりする場合に使用されるために、さまざまな形状のへらが用意されていて、通常は複数本のセットとして販売されている。
【０００３】
一方で歯科技工士が使用する歯科用スパチュラは、歯科用合金から歯冠部や義歯床を精密鋳造法により形成する工程において、ワックスで歯冠部や義歯床等の鋳造用蝋型を成形したり、調整したりするのに使用されていて、スパチュラと同様にさまざまな形状のへらが用意されている。
【０００４】
本願出願人は、歯科用スパチュラに関して、考案の名称「歯科用スパチュラハンドル」とする考案を出願し、その内容は、実用新案登録第３１１０８４５号公報に開示されている。
【０００５】
この考案は、「長時間にわたるワックス成形作業をしていても指が疲れることなく、指先に力を入れるようなワックス成形作業であっても、指先が痛くなることもない歯科用スパチュラを把持する歯科用スパチュラハンドルを提供することを目的とする」ものであり、その目的を達成するために「丸棒状の中実軸部の両端に第１のへら部と第２のへら部が接続されている歯科用スパチュラの中実軸部を被包する中空円筒部と、前記中空円筒部の両端に第１のへら部の柄と第２のへら部の柄とをそれぞれ把持する軸把持部を着脱自在に嵌着または螺着する構成とし、あるいは、中間部を大径とし両端部を小径とした前記中空円筒部の両端部にラバーグリップを被嵌させて前記第１のへら部と第２のへら部により前記ラバーグリップを固定させ、前記中空円筒部の中空部に形成された収納スペースに前記第１のへら部と第２のへら部を収納できる構成とした」ものである。
【０００６】
上記の構成によりこの考案は、へら部はそれぞれが交換可能であるため、複数本の歯科用スパチュラを用意する必要はなく、また、中空円筒部の中間部を大径としているため握りやすいことから指が疲れることがなく、さらには、指先が当接する部分には弾力性を有するラバーグリップが被嵌されているため、指先が痛くなることもない、という効果を奏するのである。そして、握り易くするため、中空円筒部の中間部の外径は、中央部に向かって徐々に大きくする構成としている。
【特許文献１】実用新案登録第３１１０８４５号公報
【考案の開示】
【考案が解決しようとする課題】
【０００７】
しかし、歯科用スパチュラは、ワックスで歯冠部や義歯床等の鋳造用蝋型を成形するという作業目的から、スパチュラに比べるとその重量が大きくなっていて、上述した本願出願人の歯科用スパチュラをそのままスパチュラとして使用するにはその重さがネックとなる場合がある。
また、握り易さの観点から、スパチュラハンドルの中空円筒部の中間部の外径を中央部に向かって徐々に大きくしているため、スパチュラハンドルの表面は机などで傷つき易く、スパチュラハンドルに施した塗装やアルミの表面の自然発色部分が剥がれることもあった。一方で、スパチュラのハンドル部分は、彩色や模様などのデザインが施される傾向にあり、スパチュラのハンドル部分が傷ついた場合には、その性能に影響はないものの、商品としての価値が低下したり、見てくれが悪くなる場合も生ずる。
【０００８】
そこで、本願考案は、本願出願人の歯科用スパチュラの有する利点である「長時間にわたる蝋細工や粘土細工等の作業をしていても指が疲れることなく、指先に力を入れるような場合であっても指先が痛くなることもなく」、かつ、歯科用スパチュラよりも軽く、ハンドル部分が傷つきにくいスパチュラを提供することを目的とする。
【課題を解決するための手段】
【０００９】
上記課題を解決するために、請求項１に係るスパチュラは、へらおよび該へらに連接し先端部に雄螺子が螺刻される柄からなる第１のへら部と、第１のへら部と同様に構成される第２のへら部と、両端に前記雄螺子が着脱自在に螺合する雌螺子が螺刻された螺合部を有する太径の円筒部材であって該円筒部材の外径はその中央部に向かって略同一または徐々に小さくなるスパチュラハンドルと、からなる、ことを特徴としている。
また、請求項２に係るスパチュラは、請求項１に記載のスパチュラであって、前記太径の円筒部材はその両端部が前記螺合部を有する細径の円筒部と中央部が太径の円筒部として形成され、該細径の円筒部の外周面には円筒状のラバーグリップが着脱自在に嵌合することにより、前記スパチュラハンドルはその両端部がラバーグリップ部を具える構成となる、ことを特徴としている。
そして、請求項３に係るスパチュラは、請求項２に記載のスパチュラであって、前記細径の円筒部の外径は該細径の円筒部の中央部に向かって徐々に小さくなっている、ことを特徴としている。
さらに、請求項４に係るスパチュラは、請求項２または請求項３に記載のスパチュラであって、前記細径の円筒部の外周面にはその円周方向に複数本の溝が刻設されている、ことを特徴とする前記雄螺子のへら側端部には円形の鍔が環装され、該鍔の外径は前記スパチュラハンドルの外端の外径と略同一である、ことを特徴としている。
また、請求項５に係るスパチュラは、請求項４に記載のスパチュラであって、前記溝の溝間隔および／または前記溝の溝巾は前記細径の円筒部の先端から太径の円筒部へ向かって該溝間隔が狭まりおよび／または該溝巾が広くなる、ことを特徴としている。
そして、請求項６に係るスパチュラは、請求項４に記載のスパチュラであって、前記溝の溝間隔および／または前記溝の溝巾は前記細径の円筒部の先端から太径の円筒部へ向かって該溝間隔が広がりおよび／または該溝巾が狭くなる、ことを特徴としている。
さらに、請求項７に係るスパチュラは、請求項１ないし請求項６のいずれかに記載のスパチュラであって、前記雄螺子のへら側端部には円形の鍔が環装され、該鍔の外径は前記スパチュラハンドルの外端の外径と略同一である、ことを特徴としている。
また、請求項８に係るスパチュラは、請求項７に記載のスパチュラであって、前記鍔のへら側には前記雄螺子と同一形状の雄螺子が螺刻され、前記スパチュラハンドルの両端部に穿設された前記螺合部が互いに連通して収納部が形成されている、ことを特徴としている。
そして、請求項９に係るスパチュラスタンドは、所定の厚みを有する平板に前記スパチュラハンドルの先端部が挿入されるスパチュラハンドル挿入穴および前記へら部の前記雄螺子が挿入される複数個のへら部挿入穴が穿設され、該へら部挿入穴は該スパチュラハンドル挿入穴を中心とした同一円周上に並設され、あるいは該スパチュラハンドル挿入穴および該へら部挿入穴は同一直線上に並設されている、ことを特徴としている。
さらに、請求項１０に係るスパチュラスタンドは、請求項９に係るスパチュラスタンドであって、前記平板で形成される平面視が円形のスパチュラスタンド本体と該スパチュラスタンド本体の上部を被覆する着脱自在の蓋部とからなり、前記へら部挿入穴は前記スパチュラハンドル挿入穴を中心とした同一円周上に並設されて該へら部挿入穴には雌螺子が刻設されて前記雄螺子が螺合し、前記蓋部は螺着された前記へら部および一端が前記スパチュラハンドル挿入穴に挿入された前記スパチュラハンドルを被覆して該スパチュラハンドルの他端は該蓋部の頂部に当接する、ことを特徴としている。
【考案の効果】
【００１０】
請求項１に係る考案では、第１のへら部と第２のへら部とがスパチュラハンドルに対して着脱自在となっているため、作業内容に応じて形状の異なるへらを任意に組み合わせて使うことができる。また、スパチュラのグリップ部であるスパチュラハンドルを太径としているため、スパチュラを支持する拇指、示指および中指の３本の指が当接するグリップ部分が大径となり、３本の指の接触面積を拡大させることにより、３本の指の負荷を大幅に軽減することができる。さらに、スパチュラハンドルの外径はその中央部に向かって略同一または徐々に小さくなっているため、幾分握り易さの点で前述した歯科用スパチュラに一歩譲るものの、机の上等にこのスパチュラを置いても、スパチュラハンドル自体は机の面に接触することはないので、スパチュラハンドルが傷つきにくくなる。
さらに、円筒部材の外径はその中央部に向かって略同一または徐々に小さくなっていて、後述する請求項８に係る考案のようにスパチュラハンドルの両端部に穿設された螺合部を互いに連通させることにより、スパチュラハンドルの中空円筒部の中間部の外径を中央部に向かって徐々に大きくしている本願出願人の歯科用スパチュラと比べて軽くすることができる。
【００１１】
また、請求項２に係る考案では、スパチュラハンドルの両端部をラバーグリップ部としている。このラバーグリップ部は前述した３本の指の指先当接部であるため、当該ラバーグリップに拇指、示指および中指の３本の指による把持力が作用したときに、容易に変形して３本の指の接触面積がさらに拡大して指の疲れを軽減する。なお、このラバーグリップに使用される弾性材は、シリコン系やウレタン系等の弾性材が望ましい。
【００１２】
そして、請求項３に係る考案では、細径の円筒部の外径はこの円筒部の中央部に向かって徐々に小さくなっていて、断面視では中央部が括れた筆記体のＸ字形となっている。このため、３本の指の指先当接部が指先の形状に沿って湾曲した形状となり、３本の指の接触面積がさらに拡大し、指の疲れを軽減する。
【００１３】
さらに、請求項４に係る考案では、スパチュラ細径の円筒部の外周面にはその円周方向に複数本の溝が刻設されている。このため、細径の円筒部の外周面と円筒状のラバーグリップの内周面との接触面積が小さくなることにより、細径の円筒部の外周面と円筒状のラバーグリップの内周面との摩擦力も小さくなって、細径の円筒部に対するラバーグリップの着脱を僅かな力で極めて容易におこなうことができるとともに、スパチュラハンドル自体の重量を軽減することができる。
【００１４】
また、前記の複数本の溝の溝間隔と溝巾は、それぞれ同一としても良いことは勿論であるが、請求項５に係る考案のように、溝間隔および／または溝巾は細径の円筒部の先端から太径の円筒部へ向かって溝間隔が狭まりおよび／または溝巾が広くなるようにしても良く、あるいは、請求項６に係る考案のように、溝間隔および／または溝巾は細径の円筒部の先端から太径の円筒部へ向かって間隔が広がりおよび／または溝巾が狭くなるようにしても良い。３本の指の指先は、ラバーグリップを介して前記の溝を感知することができるが、指先で溝を感知した方が使い易いと感じる使用者や、指先で溝を感知しない方が使い易いと感じる使用者がいることもあり、その感じ方には個人差があることから、請求項５および請求項６に係る考案によりこの個人差に柔軟に対応することができる。
【００１５】
そして、請求項７に係る考案では、第１のへら部および第２のへら部の柄の雄螺子のへら側端部には円形の鍔が環装されていて、この鍔の外径はスパチュラハンドルの外端の外径と略同一としている。このため、第１のへら部および第２のへら部をスパチュラハンドルの両端部に螺着したときには、ラバーグリップの一端はこの鍔に当接し、他端は細径の円筒部と太径の円筒部とにより形成される段差部に当接することとなるので、ラバーグリップは微動することなく確固に細径の円筒部に固定され、本発明に係るスパチュラの作業性が向上する。
【００１６】
さらに、請求項８に係る考案では、柄の鍔の両側に同一形状の雄螺子が螺刻されている。このため、スパチュラの不使用時においては、柄の鍔のへら側の雄螺子をスパチュラハンドルの螺合部に螺着させることにより、へら部のへらをスパチュラハンドルの収納部に収納することができるため、スパチュラを携帯するような場合であっても、先の尖ったへらで携帯者が怪我をすることがなく、また、へら自体を傷めることがない。さらに、当該収納部は、スパチュラハンドルの両端部に穿設された螺合部が互いに連通しているので、前述したようにスパチュラハンドルの重量を軽くすることができる。
【００１７】
また、請求項９に係るスパチュラスタンドは、所定の厚みを有する平板に穿設されたスパチュラハンドル挿入穴および複数個のへら部挿入穴が、スパチュラハンドル挿入穴を中心としてへら部挿入穴が同一円周上に並設され、あるいは、スパチュラハンドル挿入穴およびへら部挿入穴が同一直線上に並設された構成としている。通常、へらは略６種類程度の形状のものがセットとして多く使用されているが、当該スパチュラスタンドの構成により、１セット分のスパチュラが１つのスパチュラスタンドに収納されることができる。
そして、スパチュラハンドル挿入穴を中心としてへら部挿入穴が同一円周上に並設されるスパチュラスタンドでは、少ない底面積で倒れにくい安定したスパチュラスタンドとすることができる。また、スパチュラハンドル挿入穴およびへら部挿入穴が同一直線上に並設されるスパチュラスタンドでは、その形状を直方体とすることができるので、机上等に収まり良く置くことができ、スパチュラスタンド自体が邪魔になることはない。
【００１８】
そして、請求項１０に係るスパチュラスタンドは、円形のスパチュラスタンド本体と該スパチュラスタンド本体と着脱自在の蓋部からなっているので、蓋部により不用意にへら部のへらに手を触れることがなく、怪我をすることがない。また、へら部挿入穴には雌螺子が刻設されてへら部が螺着し、一端がスパチュラハンドル挿入穴に挿入されたスパチュラハンドルの他端が蓋部の頂部に当接するようになっているので、へら部およびスパチュラハンドルはスパチュラスタンド内に固定されて、スパチュラスタンド自体が携帯性に優れたものとなる。
【考案を実施するための最良の形態】
【００１９】
つぎに、本考案を実施するための最良の形態に係る実施例１ないし実施例３について、図１ないし図６に基づいて説明する。ここで、図１は、実施例１に係るスパチュラを使用している図、図２は、実施例１に係るスパチュラの全体構成図、図３（ａ）ないし（ｅ）は、ハンドル細径部に設けた溝の有無によって、変形実施例１のタイプＡないしタイプＥを示す概略図、図４は、実施例１に係るスパチュラの部分断面図、図５は、実施例２に係るスパチュラの全体構成図、図６は、実施例３に係るスパチュラスタンドの斜視図、である。
【００２０】
図１ないし図６において、符号１は実施例１に係るスパチュラ、符号２は実施例２に係るスパチュラ、符号３は実施例３に係るスパチュラスタンド、符号１０はスパチュラハンドル、符号１２は太径の円筒部、符号１４は細径の円筒部、符号１６はラバーグリップ、符号１８は溝、符号２０は螺合部、符号２２は収納部、符号３０はへら部、符号３０ａは第１のへら部、符号３０ｂは第２のへら部、符号３２はへら、符号３４は柄、符号３６は鍔、符号３８は端部側雄螺子、符号４０はへら側雄螺子、符号４２はスパチュラスタンド本体、符号４３はスパチュラスタンド蓋、符号４４はスパチュラハンドル挿入穴、符号４６はへら部固定用挿入穴、符号５０は右手、符号５２は拇指（親指）、符号５４は示指（人差し指）、符号５６は中指、である。
【実施例１】
【００２１】
まず、実施例１について、図１ないし図４を基に説明する。
図１は、使用者が右手５０の拇指５２と示指５４と中指５６の３本の指でスパチュラ１を支持している状態を示している。そして、スパチュラ１は、主に、スパチュラハンドル１０、第１のへら部３０ａおよび第２のへら部３０ｂから構成されている。
【００２２】
太径の円筒部材であるスパチュラハンドル１０は、太径の円筒部１２と、太径の円筒部１２の両端に連接される細径の円筒部１４、１４と、細径の円筒部１４、１４に嵌合するラバーグリップ１６、１６と、から構成されている。そして、太径の円筒部１２と、細径の円筒部１４、１４の内部には、貫通孔が穿設されていて、貫通孔の両端部には雌螺子が螺刻されて螺合部２０、２０が形成され、螺合部２０、２０間の貫通孔は収納部２２となっている。
なお、実施例１におけるスパチュラハンドル１０の全長は９０ｍｍであり、外径は１３．８ｍｍである。また、実施例１では、太径の円筒部１２および細径の円筒部１４、１４の内部には、それぞれに連通する貫通孔が穿設されているが、貫通孔とせずに螺合部２０、２０のみを穿設することとしても良い。
【００２３】
細径の円筒部１４の外周面には、図２に示すように、その周方向に沿って複数の溝１８が刻設されていて、この細径の円筒部１４の外周面にラバーグリップ１６が嵌合するようになっている。そして、ラバーグリップ１６は細径の円筒部１４の外周面に密着して嵌合されるが、嵌合に際しては、溝１８により比較的スムーズにラバーグリップ１６を細径の円筒部１４に挿入することができる。また、ラバーグリップ１６を挿入するとラバーグリップ１６の端部が、細径の円筒部１４と太径の円筒部１２とにより形成される段差部に当接して所定の位置に嵌着するようになっていて、所定の位置に嵌着したラバーグリップ１６の外周面と太径の円筒部１２の外周面とは一致し、外形上も一体となる。
【００２４】
そして、スパチュラハンドル１０の外径は、その中央部に向かって徐々に小さくなるように形成されている。この形状は、細径の円筒部１４に嵌合させたラバーグリップ１６からなるラバーグリップ部を含めたスパチュラハンドル１０全体の形状としても良く、あるいは、太径の円筒部１２のみをこの形状としても良い。なお、実施例１では、ラバーグリップ部の外径を略同一とし、太径の円筒部１２のみを中央部に向かって徐々に小さくなる形状としている。
さらには、細径の円筒部１４についても、細径の円筒部１４の中央部に向かって徐々に小さくなるように形成しても良い。
【００２５】
第１のへら部３０ａおよび第２のへら部３０ｂはへらを除いて同一形状であるので、ここでは、主に、第１のへら部３０ａについて説明する。
第１のへら部３０ａは、へら３２と、へら３２に連接される柄３４とから構成されていて、柄３４の端部には端部側雄螺子３８が螺刻され、端部側雄螺子３８のへら３２側端には鍔３６が環装されている。そして、端部側雄螺子３８は、螺合部２０に螺合するように形成されていて、端部側雄螺子３８を螺合部２０に螺着させると、鍔３６の面はラバーグリップ１６の端部に当接する。すなわち、鍔３６はラバーグリップ１６の抜け出し防止の役割を担っていて、鍔３６の外径とラバーグリップ１６の外径とは、略一致するようになっている。
【００２６】
なお、へら３２には、へら状、ナイフ状、槍状、針状等のさまざまな形状のものがあり、使用用途に応じて適宜代えて使用されるが、図１および図２においては、へら３２をナイフ状（第１のへら部３０ａ）および鏝状（第２のへら部３０ｂ）としている。
【００２７】
なお、本願考案者は、上述するように、ハンドルの外径が、その中央部に向かって徐々に小さくなるように形成されているこれまでのハンドルに対して、中央部に向かって徐々に大きくなるハンドルを考案し、さらに、ハンドル細径円筒部１４にそれぞれ溝１８を設けるスパチュラハンドルを案出した。そして、上記の溝１８は、その溝幅（溝間隔）や溝底径（溝の深さ）、さらには、ハンドル長さやその総重量について、様々に試作し検討を加えて、どの形、重量のものがもちやすく、ひいては、細かな作業に向いているかについて検討を加えた。
【００２８】
〈実施例１−タイプＡ〉
まず、タイプＡのスパチュラハンドルとして、基本的形状としては、図３（ａ）に示すように、上記太径の円筒部１２の最大外周１３．８ｍｍ、同細径の円筒部１４の端部外周９．７ｍｍとし、その長さを９０ｍｍにして、中央部の太径の長さ３２ｍｍ、細径の円筒部の長さをそれぞれ２９ｍｍのものを試作した。そして、その本体重量を計測したところ、本体重量２２．４ｇ、本体とラバーグリップを合わせた総重量２６ｇであった。なお、このタイプＡのものは、従来と同じく、両端の細径円筒部に溝を設けてない。
【００２９】
〈実施例１−タイプＢ〉
次に、タイプＢのスパチュラハンドルとして、上記タイプＡと同じ形状であるが、計量にするため、図３（ｂ）に示すように、本体内部の中空部を大きくとったものとした。すなわち、上記太径の円筒部１２の最大外周や細径円筒部径は、それぞれ、１３．８ｍｍ、９．７ｍｍであるが、その本体重量は、２０．３ｇであり、本体とラバーグリップとを合わせた総重量は２３．９ｇのものを試作した。
【００３０】
〈実施例１−タイプＣ〉
また、タイプＣとして、基本的にはタイプＡおよびタイプＢと同じ形状であるが、その細径の円筒部１４の外周面には、その周方向に沿って複数の溝１８が刻設されているものをタイプＣとして試作した。このタイプＣの溝の刻設に関しては、図３（ｃ）に示すように、溝幅２．０ｍｍ、細径の円筒部径９．７ｍｍに対して、溝底径５．０ｍｍの左右各３本の溝を中心領域に、そして、溝幅２．０ｍｍ、溝底径を細径円筒部径９．７ｍｍに対して、７．５ｍｍに刻設した左右各４本の溝を前記ハンドルの外側領域に刻設した。このタイプＢのハンドルは、本体重量１８．３ｇとして、本体とラバーグリップを合わせた総重量を２１．９ｇとして試作した。
【００３１】
〈実施例１−タイプＤ〉
また、タイプＤとして、タイプＡないしＣと基本的には同じ形状であるが、図３（ｄ）に示すように、溝幅を２．９ｍｍ、溝底径を、細径円筒部径９．７ｍｍに対して、８．５ｍｍにして、左右に各５本の溝を均等に刻設した。このタイプＤの本体重量は１４．７ｇとして、本体とラバーグリップとを合わせた総重量を１８．３ｇとして試作した。
【００３２】
〈実施例１−タイプＥ〉
さらに、タイプＥとして、これまでのタイプＡないしＤが９０ｍｍ長であったものを、図３（ｅ）に示すように、上記太径の円筒部１２の最大外周および細径円筒部径は、それぞれ、１３．８ｍｍ、９．７ｍｍとし、その長さを１０５ｍｍにして、中心の太径の長さ４７ｍｍ、細径の円筒部の長さをそれぞれ２９ｍｍとして、これまでのものと同じにしたものを試作した。さらに、タイプＤと同じように、溝幅２．９ｍｍ、溝底径を、細径円筒部径９．７ｍｍに対して、８．５ｍｍにして、左右に各５本の溝を均等に刻設したものをタイプＥとして試作した。このタイプＥの本体重量を計測したところ、本体重量１９．８ｇ、本体とラバーグリップを合わせた総重量２３．４ｇであった。
【００３３】
このように試作品を次のように使用して、その作業性（細かな作業ができるかどうか、大きな力を加えなければならないときの作業性、疲労度等）を検討した。検討結果は、スパチュラ１の使用法に基づいて異なる結果となることもありうるので、まず、スパチュラ１の使用法の一例について説明し、その後に、異なるタイプの作業性についての検討結果を述べる。
【００３４】
図４（ａ）に示すように、本実施例１に係るスパチュラは、太径の円筒部１２と太径の円筒部１２の両端に連接される細径の円筒部１４、１４とからなるスパチュラハンドル本体に、ラバーグリップ１６、１６を両端から挿入して、ラバーグリップ１６の端部を細径の円筒部１４と太径の円筒部１２とにより形成される段差部に当接させて、スパチュラハンドル１０が組み立てられる。
その後、所望のへら３２の形状を有する第１のへら部３０ａおよび第２のへら部３０ｂを選択して、第１のへら部３０ａおよび第２のへら部３０ｂの端部側雄螺子３８を螺合部２０に螺着させることにより、スパチュラ１が組み立てられる。そして、前述したように、端部側雄螺子３８を螺合部２０に螺着させると、鍔３６の端部側雄螺子３８側の面がラバーグリップ１６の外端部に当接することとなり、ラバーグリップ１６は、細径の円筒部１４に対してずれることはない。なお、これらの第１のへら部３０ａおよび第２のへら部３０ｂ等各種のヘラ部は、図４（ｂ）に示すように、前記鍔３６を挟んでヘラ根元にへら側雄螺子４０が形成され、前記第１のヘラ部３０ａおよび第２のヘラ部３０ｂ等を使用しないときには、前記と逆向きにヘラ先をハンドル本体の中空部に収納し、前記へら側雄螺子４０を前記螺合２０に螺着させ、安全に持ち運びができるように形成される。
【００３５】
組み立てられたスパチュラ１は、図１に示すように、拇指５２と示指５４と中指５６の３本の指で支持されるが、この３本の指が当接する箇所は、弾力性のあるラバーグリップ１６となっているため、ラバーグリップ１６に３本の指による把持力が作用したときには、ある程度変形して３本の指の接触面積がさらに拡大して、指の疲れが軽減される。また、ラバーグリップ１６は、細径の円筒部１４に対してずれることなく嵌着されているため、３本の指の細かな動きはそのままへら３２に伝えられて、細かな細工をすることができる。
【００３６】
このような使用方法において、上記五つの異なったタイプＡないしＥについての作業性を検討した。その結果、次のような結果を得た。
【表１】
0003124544.tif 000003
表１から明らかなように、本願考案者が作業する限りは、タイプＣは，溝が中央に向かって深いため、中央部が中空にできず、長いへラ部は挿入できないのに対し、タイプＤは、溝が浅いため、中央部まで広く中空にすることができ、軽量化が計れ、さらには、長いヘラ部も挿入できることから、タイプＤがもっとも作業性が良いことが明らかになった。
【００３７】
これらのことから、前記溝の溝は、その刻設する間隔や、溝の深さは、単に均一に設けるより、例えば、前記細径の円筒部の先端から太径の円筒部へ向かって該溝間隔が狭まるように刻設され、又は、該溝巾が広くなるように刻設される場合には、作業性が良くなり、また、前記溝の溝間隔や溝巾は前記細径の円筒部の先端から太径の円筒部へ向かって該溝間隔が広がりまたは該溝巾が狭くなる方が作業性が良くなり、さらには、それらが、ハンドル総重量に深く影響することが判明した。
【実施例２】
【００３８】
つぎに、実施例２について、主に、図５を基に説明する。
スパチュラ２は、スパチュラ１と同様に、主に、スパチュラハンドル１０、第１のへら部３０ａおよび第２のへら部３０ｂから構成されていて、スパチュラハンドル１０の構成はスパチュラ１と同一である。スパチュラ２がスパチュラ１と異なる点は、第１のへら部３０ａおよび第２のへら部３０ｂの構成にあるので、実施例２では、主に、第１のへら部３０ａおよび第２のへら部３０ｂについて説明するとともに、第１のへら部３０ａおよび第２のへら部３０ｂはへらを除いて同一形状であるので、主に、実施例２に係る第１のへら部３０ａについて説明する。
【００３９】
第１のへら部３０ａは、へら３２と、へら３２に連接される柄３４とから構成されていて、柄３４の中間部には鍔３６が環装され、鍔３６を挟んだ両側には、端部側雄螺子３８およびへら側雄螺子４０が螺刻されていて、端部側雄螺子３８とへら側雄螺子４０とは同一形状となっている。したがって、へら側雄螺子４０は端部側雄螺子３８と同様に、螺合部２０に螺合するように形成されていて、端部側雄螺子３８あるいはへら側雄螺子４０を螺合部２０に螺着させると、鍔３６の端部側の面あるいは鍔３６のへら側面はラバーグリップ１６の端部に当接する。すなわち、鍔３６はラバーグリップ１６の抜け出し防止の役割を担っていて、鍔３６の外径とラバーグリップ１６の外径とは、略一致するようになっている。
なお、へら３２には、実施例１に係るへら３２と同様に、へら状、ナイフ状、槍状、針状等のさまざまな形状のものがあり、使用用途に応じて適宜代えて使用されるが、図４においては、へら３２をナイフ状および鏝状としている。
【００４０】
つぎに、スパチュラ２の使用法の一例について説明するが、スパチュラ２の組み立て方および使用時における効果は、スパチュラ１と同一であるので、その説明を省略する。
【００４１】
スパチュラ２の不使用時においては、第１のへら部３０ａおよび第２のへら部３０ｂのへら３２を螺合部２０から挿入すると、へら３２の先端は収納部２２内に挿入される。そして、へら側雄螺子４０を螺合部２０に螺着させることにより、へら３２を収納部２２に収納した状態で、第１のへら部３０ａおよび第２のへら部３０ｂは、スパチュラハンドル１０に螺着される。
すなわち、スパチュラハンドル１０の両端部は、第１のへら部３０ａおよび第２のへら部３０ｂの端部側雄螺子３８が突出した状態となり、スパチュラ２を携帯するような場合であっても、先の尖ったへら３２で携帯者が怪我をすることがなく、また、へら３２自体を傷めることがない。
【実施例３】
【００４２】
つぎに、実施例３について、主に、図６を基に説明する。実施例３は、実施例１および実施例２と異なり、実施例１あるいは実施例２に係るスパチュラハンドル１０とへら部３０、３０、・・・とを立てて収納するスパチュラスタンドに関するものであり、スパチュラスタンド３は、円柱状のスパチュラスタンド本体４２と、スパチュラスタンド本体４２に対して着脱自在に嵌合するスパチュラスタンド蓋４３と、スパチュラスタンド本体４２に穿設された１つの平面視が円形のスパチュラハンドル挿入穴４４と平面視が円形の６つのへら部固定用挿入穴４６とから構成されている。
【００４３】
スパチュラスタンド本体４２は合成樹脂製の円柱であって、スパチュラスタンド本体４２の中心部にスパチュラハンドル挿入穴４４が穿設されている。そして、スパチュラハンドル挿入穴４４は、スパチュラハンドル１０の先端部が挿入可能なように当該先端部よりもやや大きめに穿設されていて、スパチュラハンドル１０の先端部が挿入されることにより、スパチュラハンドル１０は、スパチュラスタンド３上で自立するようになっている。また、へら部固定用挿入穴４６には、端部側雄螺子３８が螺入可能なように雌螺子が刻設されていて、端部側雄螺子３８が螺入されることにより、へら部３０は、スパチュラスタンド３上に固定される。そして、６つのへら部固定用挿入穴４６は、スパチュラハンドル挿入穴４４を中心とした同一円周上に等間隔で並設されている。
スパチュラスタンド蓋４３は、合成樹脂製の透明あるいは半透明のキャップ型の蓋であって、スパチュラスタンド本体４２の上部と嵌合する。嵌合手段としては螺合あるいは咬合とすることができる。そして、スパチュラスタンド本体４２にへら部３０を螺着させ、スパチュラハンドル１０を挿入させて、スパチュラスタンド蓋４３を嵌着させると、スパチュラハンドル１０の先端は、スパチュラスタンド蓋４３に当接するようになっている。
【００４４】
スパチュラスタンド３は、上述した構成により、スパチュラハンドル挿入穴４４にスパチュラハンドル１０の先端部を挿入し、へら部固定用挿入穴４６に端部側雄螺子３８を螺入することにより、スパチュラハンドル１０の周りを６種類のへら部３０が立設された状態で収納される。したがって、１つのスパチュラハンドル１０と６つのへら部３０とからなる１セットのスパチュラ１あるいはスパチュラ２が、コンパクト、かつ、使用され易い状態でスパチュラスタンド３に収納される。また、スパチュラスタンド３は、円柱状となっていて底面積も小さいことから、机上に置いても場所を取ることはない。そして、スパチュラスタンド本体４２のスパチュラスタンド蓋４３を嵌着させれば、スパチュラスタンド蓋４３は透明または半透明となっているので、内部のへら部３０、３０、・・・とスパチュラハンドル１０を外部から目視で確認できるとともに、１セットのスパチュラ１あるいはスパチュラ２を収納した状態で持ち運ぶこともできる。
【図面の簡単な説明】
【００４５】
【図１】図１は、実施例１に係るスパチュラを使用している図である。
【図２】図２は、実施例１に係るスパチュラの全体構成図である。
【図３】図３（ａ）ないし（ｅ）は、スパチュラハンドルの細径部に刻設される溝の有無等による作業性検討のためのタイプＡないしＥに係る実施例１を示す概略図である。
【図４】図４（ａ）は、実施例１に係るスパチュラの部分断面図であり、（ｂ）は、へら先をハンドルに収納した際のスパチュラの部分断面図である。
【図５】図５は、実施例２に係るスパチュラの全体構成図である。
【図６】図６は、実施例３に係るスパチュラスタンドの斜視図である。
【符号の説明】
【００４６】
１  実施例１に係るスパチュラ
２  実施例２に係るスパチュラ
３  実施例３に係るスパチュラスタンド
１０  スパチュラハンドル
１２  太径の円筒部
１４  細径の円筒部
１６  ラバーグリップ
１８  溝
２０  螺合部
２２  収納部
３０  へら部
３０ａ  第１のへら部
３０ｂ  第２のへら部
３２  へら
３４  柄
３６  鍔
３８  端部側雄螺子
４０  へら側雄螺子
４２  スパチュラスタンド本体
４３  スパチュラスタンド蓋
４４  スパチュラハンドル挿入穴
４６  へら部固定用挿入穴
【図１】
0003124544.tif 000004
【図２】
0003124544.tif 000005
【図３】
0003124544.tif 000006
【図４】
0003124544.tif 000007
【図５】
0003124544.tif 000008
【図６】
0003124544.tif 000009
【手続補正書】
【提出日】平成18年6月8日(2006.6.8)
【手続補正１】
【補正対象書類名】実用新案登録請求の範囲
【補正対象項目名】全文
【補正方法】変更
【補正の内容】
【実用新案登録請求の範囲】
【請求項１】
へらおよび該へらに連接し先端部に雄螺子が螺刻される柄からなる第１のへら部と、
第１のへら部と同様に構成される第２のへら部と、
両端に前記雄螺子が着脱自在に螺合する雌螺子が螺刻された螺合部を有する太径の円筒部材であって該円筒部材の外径はその中央部に向かって略同一または徐々に小さくなるスパチュラハンドルと、
からなる、ことを特徴とするスパチュラ。
【請求項２】
前記太径の円筒部材はその両端部が前記螺合部を有する細径の円筒部と中央部が太径の円筒部として形成され、該細径の円筒部の外周面には円筒状のラバーグリップが着脱自在に嵌合することにより、前記スパチュラハンドルはその両端部がラバーグリップ部を具える構成となる、ことを特徴とする請求項１に記載のスパチュラ。
【請求項３】
前記細径の円筒部の外径は該細径の円筒部の中央部に向かって徐々に小さくなっている、ことを特徴とする請求項２に記載のスパチュラ。
【請求項４】
前記細径の円筒部の外周面にはその円周方向に複数本の溝が刻設されている、ことを特徴とする請求項２または請求項３に記載のスパチュラ。
【請求項５】
前記溝の溝間隔および／または前記溝の溝巾は前記細径の円筒部の先端から太径の円筒部へ向かって該溝間隔が狭まりおよび／または該溝巾が広くなる、ことを特徴とする請求項４に記載のスパチュラ。
【請求項６】
前記溝の溝間隔および／または前記溝の溝巾は前記細径の円筒部の先端から太径の円筒部へ向かって該溝間隔が広がりおよび／または該溝巾が狭くなる、ことを特徴とする請求項４に記載のスパチュラ。
【請求項７】
前記雄螺子のへら側端部には円形の鍔が環装され、該鍔の外径は前記スパチュラハンドルの外端の外径と略同一である、ことを特徴とする請求項１ないし請求項６のいずれかに記載のスパチュラ。
【請求項８】
前記鍔のへら側には前記雄螺子と同一形状の雄螺子が螺刻され、前記スパチュラハンドルの両端部に穿設された前記螺合部が互いに連通して収納部が形成されている、ことを特徴とする請求項７に記載のスパチュラ。
【手続補正３】
【補正対象書類名】明細書
【補正対象項目名】０００９
【補正方法】変更
【補正の内容】
【０００９】
上記課題を解決するために、請求項１に係るスパチュラは、へらおよび該へらに連接し先端部に雄螺子が螺刻される柄からなる第１のへら部と、第１のへら部と同様に構成される第２のへら部と、両端に前記雄螺子が着脱自在に螺合する雌螺子が螺刻された螺合部を有する太径の円筒部材であって該円筒部材の外径はその中央部に向かって略同一または徐々に小さくなるスパチュラハンドルと、からなる、ことを特徴としている。
また、請求項２に係るスパチュラは、請求項１に記載のスパチュラであって、前記太径の円筒部材はその両端部が前記螺合部を有する細径の円筒部と中央部が太径の円筒部として形成され、該細径の円筒部の外周面には円筒状のラバーグリップが着脱自在に嵌合することにより、前記スパチュラハンドルはその両端部がラバーグリップ部を具える構成となる、ことを特徴としている。
そして、請求項３に係るスパチュラは、請求項２に記載のスパチュラであって、前記細径の円筒部の外径は該細径の円筒部の中央部に向かって徐々に小さくなっている、ことを特徴としている。
さらに、請求項４に係るスパチュラは、請求項２または請求項３に記載のスパチュラであって、前記細径の円筒部の外周面にはその円周方向に複数本の溝が刻設されている、ことを特徴とする前記雄螺子のへら側端部には円形の鍔が環装され、該鍔の外径は前記スパチュラハンドルの外端の外径と略同一である、ことを特徴としている。
また、請求項５に係るスパチュラは、請求項４に記載のスパチュラであって、前記溝の溝間隔および／または前記溝の溝巾は前記細径の円筒部の先端から太径の円筒部へ向かって該溝間隔が狭まりおよび／または該溝巾が広くなる、ことを特徴としている。
そして、請求項６に係るスパチュラは、請求項４に記載のスパチュラであって、前記溝の溝間隔および／または前記溝の溝巾は前記細径の円筒部の先端から太径の円筒部へ向かって該溝間隔が広がりおよび／または該溝巾が狭くなる、ことを特徴としている。
さらに、請求項７に係るスパチュラは、請求項１ないし請求項６のいずれかに記載のスパチュラであって、前記雄螺子のへら側端部には円形の鍔が環装され、該鍔の外径は前記スパチュラハンドルの外端の外径と略同一である、ことを特徴としている。
また、請求項８に係るスパチュラは、請求項７に記載のスパチュラであって、前記鍔のへら側には前記雄螺子と同一形状の雄螺子が螺刻され、前記スパチュラハンドルの両端部に穿設された前記螺合部が互いに連通して収納部が形成されている、ことを特徴としている。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００４２
【補正方法】削除
【補正の内容】
【手続補正７】
【補正対象書類名】明細書
【補正対象項目名】００４３
【補正方法】削除
【補正の内容】
【手続補正８】
【補正対象書類名】明細書
【補正対象項目名】００４４
【補正方法】削除
【補正の内容】
【手続補正９】
【補正対象書類名】明細書
【補正対象項目名】００４５
【補正方法】変更
【補正の内容】
【００４５】
【図１】図１は、実施例１に係るスパチュラを使用している図である。
【図２】図２は、実施例１に係るスパチュラの全体構成図である。
【図３】図３（ａ）ないし（ｅ）は、スパチュラハンドルの細径部に刻設される溝の有無等による作業性検討のためのタイプＡないしＥに係る実施例１を示す概略図である。
【図４】図４（ａ）は、実施例１に係るスパチュラの部分断面図であり、（ｂ）は、へら先をハンドルに収納した際のスパチュラの部分断面図である。
【図５】図５は、実施例２に係るスパチュラの全体構成図である。
【手続補正１０】
【補正対象書類名】明細書
【補正対象項目名】００４６
【補正方法】変更
【補正の内容】
【００４６】
１  実施例１に係るスパチュラ
２  実施例２に係るスパチュラ
１０  スパチュラハンドル
１２  太径の円筒部
１４  細径の円筒部
１６  ラバーグリップ
１８  溝
２０  螺合部
２２  収納部
３０  へら部
３０ａ  第１のへら部
３０ｂ  第２のへら部
３２  へら
３４  柄
３６  鍔
３８  端部側雄螺子
４０  へら側雄螺子
【手続補正１１】
【補正対象書類名】図面
【補正対象項目名】図６
【補正方法】削除
【補正の内容】